(57)【特許請求の範囲】
【請求項１】
長手方向に延在された筒部と、
前記筒部の一端部に形成されたフランジ部と、
前記筒部の他端部に形成された１または複数の切り込みと、
前記１または複数の切り込みが形成された筒部の内周面に設けられ、かつ前記他端部の端部から前記一端側へ向かうとともに、前記筒部の内周側部から前記筒部の軸心方向に向かって、形成された平面からなる傾斜部と、
他端側に形成された１または複数の孔部と、を含む、設置用の基礎杭。
【請求項２】
前記１または複数の孔部は、前記１または複数の切り込みと異なる位置に形成された、請求項１記載の設置用の基礎杭。
【請求項３】
前記筒部は、断面が六角形または円形からなる、請求項１または２に記載の設置用の基礎杭。
【請求項４】
前記切り込みは、矩形状に形成された、請求項１から３のいずれか１項に記載の設置用の基礎杭。
【請求項５】
前記１または複数の孔部は、矩形状からなる、請求項１から４のいずれか１項に記載の設置用の基礎杭。
【請求項６】
前記筒部は、一端側と他端側とに分割可能に形成され、
前記筒部の一端側に前記フランジ部が形成され、
前記筒部の他端側に形成された１または複数の切り込みと、
前記１または複数の切り込みが形成された筒部の内周面に設けられた傾斜部と、
他端側に形成された１または複数の孔部と、が形成され、
前記筒部の一端側と他端側とを接続し、かつ前記筒部長さを調整する調整部が形成された、請求項１から５のいずれか１項に記載の設置用の基礎杭。
【請求項７】
前記請求項１から６のいずれかに記載の設置用の基礎杭と、
前記フランジ部に設置する太陽光パネルと、を含む、基礎杭で設置された太陽光パネル。
【請求項８】
長手方向に延在された筒部と、前記筒部の一端部に形成されたフランジ部と、前記筒部の他端部に形成された１または複数の切り込みと、前記１または複数の切り込みが形成された筒部の内周面に設けられ、かつ前記他端部の端部から前記一端側へ向かうとともに、前記筒部の内周側部から前記筒部の軸心方向に向かって、形成された平面からなる傾斜部と、前記他端側に形成された１または複数の孔部と、を含む設置用の基礎杭を用いた基礎杭の設置方法であって、
前記設置用の基礎杭を埋設するための縦穴を掘削する掘削工程と、
前記掘削工程により形成された前記縦穴に前記設置用の基礎杭を配設する基礎杭設置工程と、
前記基礎杭を前記縦穴に押し込み、前記傾斜部により前記１または複数の切り込みを前記筒部の軸方向から放射方向へ拡張させる拡張工程と、
前記拡張工程の後に、前記フランジ部側から前記筒部の孔部の位置よりも上部までモルタルを投入するモルタル投入工程と、を含む、基礎杭の設置方法。
【請求項９】
一端側と他端側とに分離可能に形成された前記筒部を、接続し、前記筒部の鉛直方向の長さを調整する調整工程をさらに含む、請求項８記載の基礎杭の設置方法。
【請求項１０】
請求項８または９に記載の基礎杭の設置方法と、
前記フランジ部に太陽光パネルを設置する設置工程と、を含む、基礎杭で設置された太陽光パネルの設置方法。
【発明の詳細な説明】
【技術分野】
【０００１】
本発明は、設置用の基礎杭、太陽光パネルの設置用の基礎杭、基礎杭の設置方法および太陽光パネルの基礎杭の設置方法に関する。
【背景技術】
【０００２】
近年、太陽光電池パネルの設置が多数行われている。太陽光パネルは、安定してかつ半永続的にしっかりと固定される必要がある。
【０００３】
例えば、特許文献１（実用新案登録第３１８４３２２号）には、工期の短縮に適した構造の太陽電池パネル用架台について開示されている。
【０００４】
特許文献１記載の太陽電池パネル用架台は、太陽電池パネルが取り付けられる傾斜面を構成する複数の第１の単管パイプと、第１の単管パイプを支持する複数の第２の単管パイプと、地中に埋め込まれ、周囲に螺旋状の羽根が形成された中空状の複数のスパイラル杭と、備え、各第２の単管パイプは、各スパイラル杭の内部に挿入された状態で当該スパイラル杭に固定されているものである。
【０００５】
また、特許文献２（特開２００８−３１７７２号公報）には、掘削装置や施工のために膨大なコストをかけずに、改良体を、既製杭の内部には充填せずに既製杭の外周部に確実かつ容易に充填することができる、既製杭の施工方法とその施工方法に用いる蓋について開示されている。
【０００６】
特許文献２記載の既製杭の施工方法とその施工方法に用いる蓋は、掘削された地盤中に固化材と土砂とを攪拌して造成された改良体に、既製杭を建て込む既製杭の施工方法において、改良体に既製杭が建て込まれた後、既製杭の内部に圧力をかけるものである。
【０００７】
また、特許文献３（特開２００７−２３９４２０号公報）には、構造物の浮き上がりを防止するための基礎であって、杭孔に充填された硬化性材料からなる充填物の強度を低下させることなく定着体を杭孔の下方の地盤に配置した基礎の構造、その施工法及びその基礎又は施工法に用いる杭の構造について開示されている。
【０００８】
特許文献３記載の構造物の浮き上がりを防止するための基礎の構造は、構造物の下方の地盤に穿たれた杭孔の中に配置され、構造物を支持するように杭孔の底部まで該杭孔と同軸的に伸びる、中空部を有する既製杭と、杭孔の下方の地盤に該杭孔と同軸的に形成されたアンカー孔に配置された定着体と、該定着体に固定され、該定着体と構造物とを連結する連結手段であって、中空部及びアンカー孔に配置された連結手段と、アンカー孔及び中空部を満たす硬化性材料からなる充填物とを含むものである。
【０００９】
特許文献４（特開２００２−３４８８５９号公報）には、既製杭を施工中または施工後に拡径可能な構造とし、施工性の改善およびコストの低減を図る拡径可能な既製杭が開示されている。
【００１０】
特許文献４記載の既製杭は、中空の既製杭の長手方向複数箇所に杭中空部内面から杭外面に貫通するガイド孔が形成されており、杭中空部から杭外面に渡るガイド孔に拡径部材が出入可能に設けられている。
【００１１】
特許文献５（特開２００２−２２０８２９号公報）には、騒音、振動等を伴わずに施工でき、しかも大きな垂直支持力の得られるコンクリートねじ杭の提供について開示されている。
【００１２】
特許文献５記載のコンクリート製ねじ杭は、地盤等にねじ込み可能なねじ杭であって、断面が円形の中空なコンクリート製杭本体を有し、その外面に、ねじ込みのためのスクリュー羽根を具備したものである。
【先行技術文献】
【特許文献】
【００１３】
【特許文献１】実用新案登録第３１８４３２２号公報
【特許文献２】特開２００８−３１７７２号公報
【特許文献３】特開２００７−２３９４２０号公報
【特許文献４】特開２００２−３４８８５９号公報
【特許文献５】特開２００２−２２０８２９号公報
【発明の概要】
【発明が解決しようとする課題】
【００１４】
以上のように、特許文献１から５に記載されるように、種々の開発が行われている。
しかしながら、容易に基礎杭の沈下重または引抜応力等に耐えることは、困難である。特に、低コストで、基礎杭を形成することが困難である。
【００１５】
本発明の目的は、容易に沈下重および引抜応力に応じることができる設置用の基礎杭、太陽光パネルの設置用の基礎杭、基礎杭の設置方法および太陽光パネルの基礎杭の設置方法を提供することである。
【００１６】
（１）
一局面に従う設置用の基礎杭は、長手方向に延在された筒部と、筒部の一端部に形成されたフランジ部と、筒部の他端部に形成された１または複数の切り込みと、１または複数の切り込みが形成された筒部の内周面に設けられた傾斜部と、他端側に形成された１または複数の孔部と、を含むものである。
【００１７】
この場合、筒部の他端部に形成された切り込みおよび傾斜部により筒部が軸方向から放射状に広がりアンカーを形成することができる。また、孔部から固化部材が、筒部の内部と外部とに補填される。その結果、固化部材を横杭として設けることで、設置用の基礎杭を安定して設置することができる。したがって、設置用の基礎杭は、容易に沈下重および引抜応力に応じることができる。
また、傾斜部は、筒部の他端部の内周面から筒部の軸心に対して傾斜して設けられる。
【００１８】
（２）
第２の発明にかかる設置用の基礎杭は、一局面に従う設置用の基礎杭において、１または複数の孔部は、１または複数の切り込みと異なる位置に形成されてもよい。
【００１９】
この場合、１または複数の孔部が、１または複数の切り込みと異なる位置に形成されるので、筒部の強度を維持することができる。
同じ高さの位置に孔部と切り込みとを形成することができるが、筒部の強度が著しく低下する。したがって、孔部と切り込みとを異なる高さの位置で形成することが好ましい。
【００２０】
（３）
第３の発明にかかる設置用の基礎杭は、一局面または第２の発明にかかる設置用の基礎杭において、筒部は、断面が六角形または円形からなってもよい。
【００２１】
この場合、筒部の断面が、六角形または円形からなるので、強度を維持することができる。また、筒部の断面が多角形からなってもよい。
【００２２】
（４）
第４の発明にかかる設置用の基礎杭は、一局面から第３の発明にかかる設置用の基礎杭において、切り込みは、矩形状に形成されてもよい。
【００２３】
この場合、切り込みが矩形状からなるので、容易に切り込みを形成することができる。また、切り込みは、他端部から５０ｍｍ以上１０００ｍｍ以下、好ましくは１００ｍｍ以上５００ｍｍ以下であることから、筒部が軸方向から放射状に広がりアンカー形成することができる。
【００２４】
（５）
第５の発明にかかる設置用の基礎杭は、一局面から第４の発明にかかる設置用の基礎杭において、１または複数の孔部は、矩形状からなってもよい。
【００２５】
この場合、１または複数の孔は、矩形状からなるので、容易に形成することができるとともに、筒部の内部と外部との固化部材の量を矩形幅により調整することができる。
また、１または複数の孔部は、他端部から１００ｍｍ以上７００ｍｍ以下の位置から３００ｍｍ以上２０００ｍｍ以下の位置に設けられるので、適度な固化部材が筒部の内部と外部に補填させることができる。
【００２６】
（６）
第６の発明にかかる設置用の基礎杭は、一局面から第５の発明にかかる設置用の基礎杭において、筒部は、一端側と他端側とに分割可能に形成され、筒部の一端側にフランジ部が形成され、筒部の他端側に形成された１または複数の切り込みと、１または複数の切り込みが形成された筒部の内周面に設けられた傾斜部と、他端側に形成された１または複数の孔部と、が形成され、筒部の一端側と他端側とを接続し、かつ筒部長さを調整する調整部が形成されてもよい。
【００２７】
この場合、筒部の鉛直方向の長さを調整することができる。その結果、設置杭を設置する場合、地面の凹凸がある場合でも、フランジ部の鉛直方向の高さを容易に調整することができる。
また、調整部は、ねじ、複数の孔とボルト等、任意の手法で調整することができる。
【００２８】
（７）
第６の発明にかかる設置用の基礎杭は、一局面から第６の発明にかかる設置用の基礎杭において、打ち込み用治具をさらに含み、打ち込み用治具は、傾斜部に接触し筒部の１または複数の切り込みを筒部の軸方向から放射方向へ拡張させるとともに、フランジ部に接触してもよい。
【００２９】
この場合、打ち込み用治具が、傾斜部に強制的に接触し、切り込み部の周囲の筒部が、筒部の外周方向に拡張する。また、その後、打ち込み用治具が、フランジ部に接触し、基礎杭を押し込むことができる。そして、打ち込み用治具を押し込むことにより、打ち込み用治具が、傾斜部に徐々に接触して切込み部の周囲の筒部が、外周方向に広がる。
【００３０】
（８）
他の局面に従う太陽光パネルの設置用の基礎杭は、一局面から第７の発明にかかる設置用の基礎杭と、フランジ部に設置する太陽光パネルと、を含むものである。
【００３１】
この場合、太陽光パネルの設置用の基礎杭を安定して設置することができる。その結果、沈下重および引抜応力に応じることができる。
【００３２】
（９）
さらに他の局面に従う、基礎杭の設置方法は、長手方向に延在された筒部と、筒部の一端部に形成されたフランジ部と、筒部の他端部に形成された１または複数の切り込みと、１または複数の切り込みが形成された筒部の内周面に設けられた傾斜部と、他端側に形成された１または複数の孔部と、を含む設置用の基礎杭を用いた基礎杭の設置方法であって、設置用の基礎杭を埋設するための縦穴を掘削する掘削工程と、堀削工程により形成された縦穴に設置用の基礎杭を配設する基礎杭設置工程と、基礎杭を縦穴に押し込み、傾斜部により１または複数の切り込みを筒部の軸方向から放射方向へ拡張させる拡張工程と、拡張工程の後に、フランジ部側から筒部の孔部位置よりも上部までモルタルを投入するモルタル投入工程と、を含むものである。
【００３３】
この場合、掘削工程により縦穴を掘削し、基礎杭設置工程により堀削工程により形成された縦穴に基礎杭を配設し、拡張工程により基礎杭を縦穴に押し込み、１または複数の切り込みが傾斜部により軸方向から放射方向へ拡張され、拡張工程の後にモルタル投入工程によりフランジ部側から筒部の孔部位置よりも上部までモルタルが投入される。
その結果、筒部の他端部に形成された切り込みにより筒部が軸方向から放射状に広がりアンカーとなり、さらに、孔部から固化部材が、筒部の内部と外部とに補填され、横杭を形成することができる。したがって、安定して設置することができる。
【００３４】
（１０）
第１０の発明にかかる基礎杭の設置方法は、他の局面に従う基礎杭の設置方法において、打ち込み用治具をさらに含む基礎杭の設置方法であって、拡張工程は、打ち込み用治具を用いて１または複数の切り込みを筒部の軸方向から放射方向へ拡張させてもよい。
【００３５】
この場合、拡張工程において、打ち込み用治具が、傾斜部に接触し、切り込みの周囲の筒部が、筒部の外周方向に移動する。また、打ち込み用治具が、フランジ部に接触し、基礎杭を押し込むことができる。そして、打ち込み用治具を押し込むことにより、打ち込み用治具が、傾斜部に徐々に接触して切り込みの周囲の筒部が、筒部が外周方向に広がる。
【００３６】
（１１）
第１１の発明にかかる基礎杭の設置方法は、第１０の発明にかかる基礎杭の設置方法において、打ち込み用治具は、引き抜き構造を有しており、拡張工程は、打ち込み用治具を用いて１または複数の切り込みを筒部の軸方向から放射方向へ拡張させた後、引き抜き構造により打ち込み用治具のみを引き抜いてもよい。
【００３７】
この場合、拡張工程において引き抜き構造により打ち込み用治具のみを確実に引き抜くことができる。
【００３８】
（１２）
第１２の発明にかかる基礎杭の設置方法は、他の局面から第１１の発明にかかる基礎杭の設置方法において、一端側と他端側とに分離可能に形成された筒部を、接続し、筒部の鉛直方向の長さを調整する調整工程をさらに含んでもよい。
【００３９】
この場合、筒部の鉛直方向の長さを調整することができる。その結果、設置杭を設置する場合、地面の凹凸がある場合でも、フランジ部の鉛直方向の高さを容易に調整することができる。
また、調整部は、ねじ、複数の孔とボルト等、任意の手法で調整することができる。
【００４０】
（１３）
さらに他の局面にかかる太陽光パネルの基礎杭の設置方法は、他の局面から第１２の発明にかかる設置基礎杭の設置方法と、フランジ部に太陽光パネルを設置する設置工程とを含むものである。
【００４１】
この場合、フランジ部に太陽光パネルを設置することができる。その結果、沈下重および引抜応力に応じることができる。
【００４２】
（Ａ）
第１４の発明にかかる設置用の基礎杭は、長手方向に延在された筒部と、筒部の一端部に形成されたフランジ部と、他端側に形成された１または複数の孔部と、を含むものである。
【００４３】
この場合、基礎杭を縦に設けた場合、孔部にモルタル等を投入し固定することにより、横杭を設けることができる。その結果、容易に沈下重および引抜応力に応じることができる。
【図面の簡単な説明】
【００４４】
【図１】本実施の形態にかかる設置用の基礎杭の一例を示す模式的正面図である。
【図２】図１の模式的上面図である。
【図３】図１の模式的下面図である。
【図４】図２のＡ−Ａ断面の一例を示す模式的断面図である。
【図５】堀削工程の一例を示す模式図である。
【図６】基礎杭を孔に設置した場合の状況を示す模式図である。
【図７】基礎杭を孔に押し込む状況を示す模式図である。
【図８】モルタル投入工程の一例を示す模式図である。
【図９】モルタル投入工程の一例を示す模式図である。
【図１０】打ち込み用治具の一例を示す模式図である。
【図１１】打ち込み用治具の一例を示す模式図である。
【図１２】打ち込み用治具を用いて設置用の基礎杭を設置する状態を説明するための模式図である。
【図１３】打ち込み用治具を用いて設置用の基礎杭を設置する状態を説明するための模式図である。
【図１４】打ち込み用治具を用いて設置用の基礎杭を設置する状態を説明するための模式図である。
【図１５】打ち込み用治具を用いて設置用の基礎杭を設置する状態を説明するための模式図である。
【図１６】基礎杭の他の例を説明するための模式的断面図である。
【図１７】基礎杭のさらに他の例を説明するための模式的断面図である。
【発明を実施するための形態】
【００４５】
以下、本発明に係る実施の形態について図面を用いて説明する。以下の説明では、同一の部品には同一の符号を付してある。それらの名称および機能も同じである。したがって、それらについての詳細な説明は繰り返さない。
【００４６】
（第１の実施の形態）
図１は、本実施の形態にかかる設置用の基礎杭１００の一例を示す模式的正面図であり、図２は図１の模式的上面図であり、図３は図１の模式的下面図である。また、図４は、図２のＡ−Ａ断面の一例を示す模式的断面図である。
【００４７】
図１から図４に示す設置用の基礎杭１００は、筒部２００、孔３００、切り込み４００、傾斜部４１０およびフランジ部５００を含む。
なお、本実施の形態にかかる基礎杭１００は、主に鋼管から形成される。例えば、材質は、一般構造用圧延鋼材と呼ばれる鉄鋼材料（Ｓ４００）、一般構造用炭素鋼鋼管（ＳＴＫ４００）に溶融亜鉛メッキが施されているものが好ましい。
【００４８】
フランジ部５００は、筒部２００の一端部に設けられている。また、フランジ部５００には、太陽光パネル（図示せず）を取り付けるための孔５１０が形成されている。孔５１０は長孔から形成される。
【００４９】
筒部２００の他端部に切り込み４００が形成されている。切り込み４００は、図３に示すように、９０度刻みで４個形成されている。なお、本実施の形態においては、４個の切り込み４００を形成することとしたが、これに限定されず、２個、３個、５個、６個、８個、他の任意の個数の切り込みを形成してもよい。
【００５０】
また、切り込み４００は、筒部２００の他端部から距離Ｌ１で形成されている。さらに図３および図４に示すように、筒部２００の内周面に、他端部から距離Ｌ１まで傾斜部４１０が形成されている。
【００５１】
傾斜部４１０は、筒部２００の他端部の内周面から、筒部２００の軸心に向かって一端部側に向かって形成される。そして、傾斜部４１０同士が接触しないよう、軸心から内周面に向かってさらに傾斜部４１０が形成される。
【００５２】
続いて、図１および図４に示すように、他端部からの距離Ｌ２から他端部からの距離Ｌ３の長さで、幅Ｔ３の孔３００が形成されている。本実施の形態において、孔３００は、２個形成されている。なお、孔３００は、２個に限定されることなく、１個または３以上の複数個形成されていてもよく、楕円、円形等の他の任意の形状の孔であってもよい。
【００５３】
また、孔３００は、他端部側からさらに一定距離離れた部分に併設されてもよい。すなわち、孔３００を、２段、３段、その他の多段に形成してもよい。
【００５４】
（設置用の基礎杭１００の設置方法）
次に、図５から図９は、図１から図４に示した設置用の基礎杭１００の設置方法を説明するための模式的工程図である。本実施の形態において使用する基礎杭１００の筒部２００は、直径（φ）９０ｍｍ、であり、フランジ部５００の直径は、１７０ｍｍである。
【００５５】
（堀削工程）
図５は、堀削工程の一例を示す模式図である。
まず、図５に示すように、地面に対して、クローラ等で、穿孔堀削を行う。
この場合、具体的に穴６００は、直径（φ）１００ｍｍ、および深さＬ１０で形成される。なお、本実施の形態において、深さＬ１０は、７００ｍｍである。
【００５６】
（杭設置工程）
次に、図６は、基礎杭１００を穴６００に設置した場合の状況を示す模式図である。
【００５７】
図６に示すように、基礎杭１００は、穴６００に投入される。基礎杭１００の長手方向の長さは、例えば、１３５０ｍｍからなる。
この場合、地上に基礎杭１００が６５０ｍｍだけ突出して配置される。
【００５８】
（拡張工程）
次に、図７は、基礎杭１００を穴底６１０に押し込む状況を示す模式図である。ここで、切り込み量（距離）Ｌ１は、５０ｍｍ以上１０００ｍｍ以下、好ましくは、１００ｍｍ以上５００ｍｍ以下である。
【００５９】
図７に示すように、フランジ部５００を下方（矢印Ｖ１の方向）へ押し込む。
この場合、筒部２００の内周面に設けられた傾斜部４１０および切り込み４００により、矢印ＯＰの方向に筒部２００の端部が筒部２００の軸心から放射方向へ拡張される。
すなわち、傾斜部４１０が、穴底６１０の底部に接触し、突き刺さって、筒部２００の端部は、外周方向へ曲がる。
その結果、放射方向に拡張された筒部２００の端部は、アンカーの代わりとして形成される。
【００６０】
（モルタル投入工程）
続いて、図８および図９は、モルタル投入工程の一例を示す模式図である。
【００６１】
図８に示すように、基礎杭１００の孔部２１０にモルタル６５０を投入する。この場合、図８および図９に示すように、モルタル６５０が、孔３００から基礎杭１００の側方へ流れ出るとともに、筒部２００の内部に蓄積される。その結果、基礎杭１００の下端部側にモルタル６５０の横杭が形成される。
【００６２】
最後に、モルタル６５０をフランジ部５００の面まで投入する、または、モルタル６５０の上部に、掘削工程で生じた砂または土を戻す。
【００６３】
以上により基礎杭１００の設置は完了する。なお、設置後２週間経過した後、引き抜きテストを１トンまでテストしたが、引き抜き現象は、生じなかった。
【００６４】
なお、本実施の形態における基礎杭１００は、太陽光パネルの設置用の基礎杭１００として説明したが、これに限定されず、ビニールハウスなどの建築物の基礎として用いてもよく、その他の基礎として用いてもよい。
【００６５】
さらに、断面が三角形からなる傾斜部４１０（図７参照）を形成しているが、これに限定されず、強度の問題が生じなければ、平板状態からなってもよく、湾曲面からなってもよく、筒部２００の厚みがある場合には、端部面に外側から内側に向けて傾斜する傾斜部位を設けてもよい。
【００６６】
（第２の実施の形態）
第２の実施の形態においては、第１の実施の形態と異なる点について主に説明を行う。第２の実施の形態においては、第１の実施の形態における設置用の基礎杭１００にさらに、打ち込み用治具８００を用いる。
打ち込み用治具８００は、後述するように、基礎杭１００の筒部２００の内部に挿入して使用する。
【００６７】
図１０および図１１は、打ち込み用治具８００の一例を示す模式図である。
図１０に示すように、打ち込み用治具８００は、本体８１０、先端部８２０、および打ち込みホルダ８３０を含む。
また、図１１に示すように、打ち込み用治具８００を引き抜く場合には、打ち込みホルダ８３０の代わりに、引き抜きホルダ８５０を取り付けてもよい。
【００６８】
本体部８１０は、円筒形状からなり、本体部８１０の一端側に先端部８２０が形成されている。先端部８２０は、切頭円錐形状からなる。先端部８２０は、図１０に示すように、角度Θｒが６０度で形成される。
また、本体部８１０の他端側に打ち込みホルダ８３０が形成されている。
さらに、本体部８１０の天面にはボルトBをとりつけるための孔８００ｈが形成されている。
【００６９】
打ち込みホルダ８３０は、天面部８３１が、各工具により打ち込み可能な形状からなる。また、打ち込みホルダ８３０の筒部８３２の下端部は、設置用の基礎杭１００のフランジ部５００に対して当接可能な形状からなる。
【００７０】
また、図１１に示すように引き抜きホルダ８５０は、天面部８５１が形成され、筒部８５２の下端部は、基礎杭１００のフランジ部５００に対して当接可能な形状からなる。また、天面部８５１と、打ち込み用治具８００の孔８００ｈを介して本体部８１０の天面とがボルトＢにより接続される。
すなわち、打ち込み用治具８００を抜く際に、ボルトＢを回転させることにより、本体部８１０が鉛直上方向に移動される。
【００７１】
その結果、打ち込み用治具８００の本体部８１０および先端部８２０が基礎杭１００の傾斜部４１０と接触している場合であっても、確実に打ち込み用治具８００を鉛直上方向に抜出することができる。
【００７２】
続いて、図１２から図１５は、打ち込み用治具８００を用いて設置用の基礎杭１００を設置する状態を説明するための模式図である。
第２の実施の形態においては、第１の実施の形態における図６および図７の工程の代わりに図１２から図１５を用いたものである。
【００７３】
まず、図１２に示すように、設置用の基礎杭１００を穴６００に挿入する。
次に、図１３に示すように、基礎杭１００の筒部２００の内部に、打ち込み用治具８００を挿入する。
この場合、打ち込み用治具８００の先端部８２０が、基礎杭１００の傾斜部４１０に接触する。先端部８２０の傾斜により傾斜部４１０が、筒部２００の軸芯から外周側に向けて拡張させられる。すなわち、傾斜部４１０が筒部２００の軸芯から放射方向に強制的に拡張する。
【００７４】
図１４に示すように、さらに先端部８２０が鉛直下方に移動された場合、先端部８２０が傾斜部４１０と接触して傾斜部４１０が放射状に広げられた後、打ち込み用治具８００の打ち込みホルダ８３０の端部（筒部８３２の下端部）がフランジ部５００に接触する。
その結果、傾斜部４１０を確実に軸芯から強制的に外周方向へ拡張した後に、打ち込みホルダ８３０が基礎杭１００のフランジ部５００に接触し、鉛直下方に力を伝達し、さらに基礎杭１００を穴底６１０に対して鉛直下方に埋設することができる。
【００７５】
続いて、図１５に示すように、打ち込み用治具８００を引き抜く場合、打ち込みホルダ８３０を取り外し、引き抜きホルダ８５０を取り付ける。
引き抜きホルダ８５０における取り付けボルトＢを回転させることにより、容易に本体部８１０のみを鉛直上方向に引き抜くことができる。
なお、先端部８２０は、所定の傾斜からなることとしているが、これに限定されず、曲面から形成されてもよく、他の任意の面から形成されてもよい。
【００７６】
この後、第１の実施の形態における、モルタル投入工程に移行し、基礎杭１００の設置は完了させることができる。
【００７７】
（他の例）
次に、図１６は、基礎杭の他の例を説明するための模式的断面図である。
図１６に示す用に、他の例においては、基礎杭１００の代わりに、基礎杭１００ａからなる。以下、基礎杭１００ａが基礎杭１００と異なる点について主に説明を行う。
【００７８】
基礎杭１００ａは、筒部２００ａに雄ネジＢＯが形成され、フランジ部５００ａ側の筒部に雌ネジＢＭが形成されている。その結果、フランジ部５００ａの鉛直方向の高さ位置を調整することができる。
【００７９】
すなわち、基礎杭１００ａを設置した際に、土地の凸凹をネジＢＭ、ＢＯにより吸収し、フランジ部５００ａの天面の鉛直方向の高さを変化させることができる。
【００８０】
続いて、図１７は、基礎杭のさらに他の例を説明するための模式的断面図である。
図１７に示すように、他の例においては、基礎杭１００の代わりに、基礎杭１００ｂからなる。以下、基礎杭１００ｂが基礎杭１００と異なる点について主に説明を行う。
【００８１】
基礎杭１００ｂは、筒部２００ｂに孔ＣＯが形成され、フランジ部５００ｂ側の筒部に孔ＣＭが形成されている。その結果、孔ＣＭと孔ＣＯとを合わせてボルト等（図示省略）で固定することにより、フランジ部５００ｂの鉛直方向の高さ位置を調整することができる。
【００８２】
すなわち、基礎杭１００ｂを設置した際に、土地の凸凹を孔ＣＭ、ＣＯにより吸収し、フランジ部５００ｂの天面の鉛直方向の高さを変化させることができる。また、図１７に示すように、複数の孔を形成することにより、鉛直方向の高さ調整の組み合わせを増加させることができる。
特に、複数の孔のうち１または数個程度を用いることで、固定できるため、調整を容易に行うことができる。
【００８３】
以上のように、設置用の基礎杭１００，１００ａ，１００ｂは、沈下重および引抜応力に耐えることができるので、風で太陽光パネルが浮き上がるような力が加わった場合でも、基礎杭１００，１００ａ，１００ｂの抜出を防止することができる。また、太陽光パネルに積雪し、重みが増加した場合であっても、基礎杭１００，１００ａ，１００ｂの沈下を防止することができる。
【００８４】
また、モルタル６５０を、基礎杭１００，１００ａ，１００ｂの横杭として用いることができるので、低コストで、沈下重および引抜応力に応じることができる。
さらに、切り込み４００および傾斜部４１０が形成されているので、基礎杭１００を打ち込むことにより容易に放射状に拡張し、アンカーの代わりにすることができる。
【００８５】
また、本実施の形態においては、モルタル６５０を一層形成することとしているが、これに限定されず、２層、３層、その他の多層形成してもよい。その結果、さらに容易に設置用の基礎杭１００，１００ａ，１００ｂを設置することができる。
【００８６】
また、打ち込み用治具８００を用いることで、打ち込み用治具８００が傾斜部４１０を強制的に外周方向へ広げることができる。また、打ち込み用治具８００の打ち込みホルダ８３０を取り外し、引き抜きホルダ８５０にかえることで、打ち込み用治具８００を確実に取り外すことができる。
【００８７】
本発明においては、設置用の基礎杭１００，１００ａ，１００ｂが「設置用の基礎杭」に相当し、フランジ部５００，５００ａ，５００ｂが「フランジ部」に相当し、切り込み４００が「１または複数の切り込み」に相当し、傾斜部４１０が「傾斜部」に相当し、筒部２００，２００ａ，２００ｂが「筒部」に相当し、打ち込み用治具８００が「打ち込み用治具」に相当し、ネジＢＭ，ＢＯまたは孔ＣＭ，ＣＯおよびボルトが「調整部」に相当し、引き抜きホルダ８５０が「引き抜き構造」に相当し、図５から図９は、「基礎杭の設置方法」に相当する。
【００８８】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８９】
１００，１００ａ，１００ｂ  設置用の基礎杭
２００，２００ａ，２００ｂ  筒部
４００  切り込み
４１０  傾斜部
５００，５００ａ，５００ｂ  フランジ部
８００  打ち込み用治具
８３０  打ち込みホルダ
８５０  引き抜きホルダ
【図１】
0006513470.tif 000002
【図２】
0006513470.tif 000003
【図３】
0006513470.tif 000004
【図４】
0006513470.tif 000005
【図５】
0006513470.tif 000006
【図６】
0006513470.tif 000007
【図７】
0006513470.tif 000008
【図８】
0006513470.tif 000009
【図９】
0006513470.tif 000010
【図１０】
0006513470.tif 000011
【図１１】
0006513470.tif 000012
【図１２】
0006513470.tif 000013
【図１３】
0006513470.tif 000014
【図１４】
0006513470.tif 000015
【図１５】
0006513470.tif 000016
【図１６】
0006513470.tif 000017
【図１７】
0006513470.tif 000018